(57)【要約】【課題】表示画面の一部に表示される静止画像に起因した焼き付きを軽減することの可能な画像表示方法および画像表示装置を提供する。【解決手段】駆動回路３０によって液晶素子１４を駆動することにより、表示画面４０の全体にコンテンツ画像４１が表示されると共に、表示画面４０の一部に機能画像４２が表示される。さらに、コンテンツ画像信号３０Ａと機能画像信号３５Ａとの合成によって、所定の固定位置４３（図中の黒点）を基準として機能画像４２が経時的に拡大または縮小される。【選択図】図３
2010277058.tif 000002
【特許請求の範囲】
【請求項１】
非自発光型の表示素子を駆動することにより、表示画面にコンテンツ画像を表示すると共に、前記表示画面の一部に機能画像を表示し、かつ所定の固定位置を基準として前記機能画像を経時的に拡大または縮小する
画像表示方法。
【請求項２】
前記表示画面の全体の面積を１とすると、前記機能画像の拡大または縮小に際して、前記機能画像の面積を最大時に０．０１以上にし、最小時に０にする
請求項１に記載の画像表示方法。
【請求項３】
前記固定位置を、前記機能画像が表示され得る特定領域内もしくは前記特定領域外に設定するか、または、前記機能画像が現に表示されている表示領域内もしくは前記表示領域外に設定した上で、前記機能画像の拡大または縮小を行う
請求項１または請求項２に記載の画像表示方法。
【請求項４】
前記機能画像の輝度レベルを、当該機能画像を視認可能な輝度レベルから当該機能画像を視認不可能な輝度レベルに経時的に変化させる
請求項１または請求項２に記載の画像表示方法。
【請求項５】
前記機能画像の輝度レベルを、当該機能画像を視認不可能な輝度レベルから当該機能画像を視認可能な輝度レベルに経時的に変化させる
請求項１または請求項２に記載の画像表示方法。
【請求項６】
前記機能画像の輝度レベルを、当該機能画像を視認可能な輝度レベルから当該機能画像を視認不可能な輝度レベルへの経時的な変化と、当該機能画像を視認不可能な輝度レベルから当該機能画像を視認可能な輝度レベルへの経時的な変化とを交互に繰り返す態様で経時的に変化させる
請求項１または請求項２に記載の画像表示方法。
【請求項７】
前記機能画像の輝度レベルを、当該機能画像を視認可能な輝度レベルの範囲内で、高輝度レベルから低輝度レベルへの経時的な変化と、低輝度レベルから高輝度レベルへの経時的な変化とを交互に繰り返す態様で経時的に変化させる
請求項１または請求項２に記載の画像表示方法。
【請求項８】
前記機能画像を、前記コンテンツ画像のうち当該機能画像の背後画像を完全に遮蔽した状態で表示させるか、または前記背後画像の少なくとも一部を透かした状態で表示させる
請求項１または請求項２に記載の画像表示方法。
【請求項９】
表示画面を有する非自発光型の表示素子と、
前記表示素子を照明する照明部と、
前記表示素子を駆動することにより、前記表示画面にコンテンツ画像を表示すると共に、前記表示画面の一部に機能画像を表示し、かつ所定の固定位置を基準として前記機能画像を経時的に拡大または縮小する駆動部と
を備えた画像表示装置。
【発明の詳細な説明】
【技術分野】
【０００１】
本発明は、例えば液晶などの非自発光素子を駆動することによって画像表示を行う画像表示方法および画像表示装置に関する。
【背景技術】
【０００２】
液晶表示装置では、ガラス等の基板間に封止した液晶層において、液晶分子の配列を変化させることにより光源からの光を透過、変調させて表示を行っている。この液晶表示装置では、静止画像が表示画面に長時間、表示されていた場合には、焼き付きが生じてしまう。この焼き付きは、液晶中のＤＣ電圧成分により、イオン性不純物等の可動イオンが液晶層内および配向膜界面に偏在し、それにより液晶に印加された電圧が非対象になって実効輝度が変化し、静止画像の表示パターンに対応した輝度変化が残る現象である。
【０００３】
静止画像は、表示画面全体に表示される場合もあるが、表示画面の隅に小さく表示される場合もある。静止画像が表示画面全体に表示されるケースとしては、例えば、放送局から送信されてきた試験画像（例えばカラーバー）や、ユーザ自らが外部機器（図示せず）から入力した写真データなどを表示させる場合が挙げられる。一方、静止画像が表示画面の一部にだけ表示されるケースとしては、例えば、店頭での商品特徴説明に用いる情報（いわゆるＰＯＰ（Point of purchase advertising））や、時刻、表示チャンネルなどを表示させる場合が挙げられる。
【０００４】
この焼き付きについては、液晶素子の材料や製造プロセスの改善では根本的な解決が難しい。そこで、例えば、特許文献１では、静止画像を表示画面全体に表示するに際して、その表示方法を工夫することが記載されている。具体的には、表示する画像をあらかじめ表示画面よりも大きくしたり、または小さくしたりした上で、その画像を、例えば８の字を描くように移動させることにより、焼き付きを軽減している。
【先行技術文献】
【特許文献】
【０００５】
【特許文献１】特開２００６−２３５２４１号公報
【発明の概要】
【発明が解決しようとする課題】
【０００６】
しかし、特許文献１に記載の方法では、表示画像において、同一信号レベルの表示面積が大きい場合には、その領域の境界部分での焼き付きを軽減することはできるが、境界部分から離れた部分での焼き付きを軽減することができない。この問題は、この方法を、静止画像が表示画面の一部にだけ表示されるケースに適用した場合にも、同様に生じてしまう。
【０００７】
本発明はかかる問題点に鑑みてなされたものであり、その目的は、表示画面の一部に表示される静止画像に起因した焼き付きを軽減することの可能な画像表示方法および画像表示装置を提供することにある。
【課題を解決するための手段】
【０００８】
本発明の画像表示方法は、非自発光型の表示素子を駆動することにより、表示画面にコンテンツ画像を表示すると共に、表示画面の一部に機能画像を表示し、かつ所定の固定位置を基準として機能画像を経時的に拡大または縮小するものである。
【０００９】
本発明の画像表示装置は、非自発光型表示素子を駆動することにより、表示画面の全体にコンテンツ画像を表示すると共に、表示画面の一部に機能画像を表示し、かつ所定の固定位置を基準として機能画像を経時的に拡大または縮小するものである。
【００１０】
本発明の画像表示方法および画像表示装置では、非自発光型の表示素子の駆動により、表示画面の全体にコンテンツ画像が表示されると共に、表示画面の一部に機能画像が表示され、かつ所定の固定位置を基準として機能画像が経時的に拡大または縮小される。これにより、機能画像において、同一信号レベルの表示面積が大きい場合であっても、特定の画素に同一レベルの画像信号が印加され続けることをなくすることが可能である。
【００１１】
特に、表示画面の全体の面積を１としたときに、機能画像の拡大または縮小に際して、機能画像の面積を最大時に０．０１以上にし、最小時に０にすることが好ましい。このようにした場合には、機能画像において、特定の画素に同一レベルの画像信号が印加され続けることを確実になくすることができる。
【発明の効果】
【００１２】
本発明の画像表示方法および画像表示装置によれば、機能画像において、特定の画素に同一レベルの画像信号が印加され続けることをなくすることが可能となるようにしたので、表示画面の一部に表示される静止画像に起因した焼き付きを軽減することが可能である。特に、表示画面の全体の面積を１としたときに、機能画像の拡大または縮小に際して、機能画像の面積を最大時に０．０１以上にし、最小時に０にした場合には、表示画面の一部に表示される静止画像に起因した焼き付きをさらに軽減することが可能である。
【図面の簡単な説明】
【００１３】
【図１】本発明の一実施の形態に係る液晶表示装置の概略構成図である。
【図２】図１の画素アレイ部の構成図である。
【図３】コンテンツ画像と機能画像の表示画面上のレイアウトの一例を表す模式図である。
【図４】機能画像の拡大縮小の基準点（固定位置）の一例を表す模式図である。
【図５】機能画像の拡大縮小の基準点（固定位置）の他の例を表す模式図である。
【図６】機能画像の輝度の経時変化の一例を表す図である。
【発明を実施するための形態】
【００１４】
以下、発明を実施するための形態について、図面を参照して詳細に説明する。なお、説明は以下の順序で行う。
１．概略構成
２．効果
【００１５】
[概略構成]
図１は、本発明の一実施の形態に係る液晶表示装置１の概略構成を表したものである。この液晶表示装置１は、液晶表示パネル１０と、液晶表示パネル１０の背後に配置されたバックライト２０（照明部）と、液晶表示パネル１０を駆動する駆動回路３０（駆動部）とを備えている。液晶表示パネル１０は、例えば、複数のサブピクセル１１Ｒ，１１Ｇ，１１Ｂがマトリクス状に配置された画素アレイ部１２を有している。本実施の形態では、例えば、互いに隣り合うサブピクセル１１Ｒ，１１Ｇ，１１Ｂが１つの画素１３を構成しており、画素アレイ部１２全体が表示画面４０（後述の図３（Ａ）参照）に対応している。なお、以下では、サブピクセル１１Ｒ，１１Ｇ，１１Ｂの総称としてサブピクセル１１を適宜、用いるものとする。駆動回路３０は、例えば、画像信号処理回路３１、タイミング生成回路３２、信号線駆動回路３３、走査線駆動回路３４および内部メモリ３５を有している。
【００１６】
（画素アレイ部１２）
図２は、画素アレイ部１２内の回路構成の一例を表したものである。画素アレイ部１２は、例えば、図１、図２に示したように、行状に配置された複数の走査線ＷＳＬと、列状に配置された複数の信号線ＤＴＬとを有している。各走査線ＷＳＬと各信号線ＤＴＬとの交差部に対応して、複数のサブピクセル１１が行列状に配置されている。画素アレイ部１２は、さらに、例えば、全てのサブピクセル１１に対応して共通電位線ＣＯＭが形成されている。
【００１７】
各サブピクセル１１は、例えば、液晶素子１４（非自発光型の表示素子）と、トランジスタ１５とを有している。液晶素子１４は、例えば、駆動基板上に、共通電極、絶縁膜、画素電極、配向膜、液晶層、配向膜および透明基板を駆動基板側から順に有している。駆動基板は、例えば、ガラス基板上に、上記のトランジスタ１５などが形成されたものである。共通電極は、例えば、画素アレイ部１２全体に形成された電極であり、全てのサブピクセル１１に含まれる液晶素子１４に共通に用いられている。この共通電極が、例えば、上記の共通接続線ＣＯＭに対応している。絶縁膜は、共通電極と画素電極とを互いに絶縁分離するものであり、共通電極と画素電極との間に高さ方向の間隙を付与している。液晶層は、例えば、ＶＡ（vertical alignment）モードの液晶からなり、印加電圧により、バックライト２０からの射出光を透過または遮断する機能を有する。画素電極は、サブピクセル１１ごとの電極として機能するものであり、例えば、共通電極との対向領域に配置されている。これにより、画素電極と共通電極との間に電圧が印加されると、液晶層内に縦方向の電界が生じるようになっている。トランジスタ１５は、例えば、電界効果型のＴＦＴ（Thin Film Transistor；薄膜トランジスタ）であり、チャネルを制御するゲートと、チャネル両端に設けられたソースおよびドレインとによって構成されている。
【００１８】
液晶素子１４の一端がトランジスタ１５のソースまたはドレインに接続されており、液晶素子１４の他端が共通接続線ＣＯＭに接続されている。トランジスタ１５のゲートが走査線ＷＳＬに接続されており、トランジスタ１５のソースおよびドレインのうち液晶素子１４に未接続の方が信号線ＤＴＬに接続されている。１水平ラインに属する複数のサブピクセル１１において、例えば、トランジスタ１５のゲートが共通の走査線ＷＳＬに接続されている。なお、１水平ラインに属する複数のサブピクセル１１において、例えば、トランジスタ１５のゲートが共通の走査線ＷＳＬに接続されておらず、各サブピクセル１１Ｒ，１１Ｇ，１１Ｂの両脇に設けられた２つの走査線ＷＳＬに交互に接続されていてもよい。
【００１９】
（バックライト２０）
バックライト２０は、液晶表示パネル１０を背後から照明するものであり、例えば、導光板と、導光板の側面に配置された光源と、導光板の上面（光射出面）に配置された光学素子とを備えている。導光板は、光源からの光を導光板の上面に導くものであり、例えば、上面および下面の少なくとも一方の面に、所定のパターン化された形状を有しており、側面から入射した光を散乱し、均一化する機能を有している。光源は、線状光源であり、例えば、熱陰極管(ＨＣＦＬ；Hot Cathode Fluorescent Lamp)、ＣＣＦＬ、または複数のＬＥＤを一列に配置したものなどからなる。光学素子は、例えば、拡散板、拡散シート、レンズフィルム、偏光分離シートなどを積層して構成されたものである。なお、バックライト２０は、液晶表示パネル１０の背面に線状光源または点状光源を配列した直下型の光源と、液晶表示パネル１０の背面と光源との間に配置された光学素子とを備えたものであってもよい。
【００２０】
（駆動回路３０）
次に、画素アレイ部１２の周辺に設けられた駆動回路３０内の各回路について、図１を参照して説明する。
【００２１】
画像信号処理回路３１は、例えば、外部から入力されたデジタルのコンテンツ画像信号３０Ａを補正すると共に、補正した後のコンテンツ画像信号３０Ａと、内部メモリ３５から読み出したデジタルの機能画像信号３５Ａとを互いに合成するものである。さらに、この画像信号処理回路３１は、合成した後の画像信号をアナログの画像信号３１Ａに変換するものである。
【００２２】
コンテンツ画像信号３０Ａは、例えば、放送局から送信されてきた動画信号、またはユーザ自らが外部機器（図示せず）から入力した動画信号を含むものである。なお、動画信号とは、例えば、１フレーム期間ごとに表示画像の異なる信号や複数フレーム期間ごとに表示画像の異なる信号など、経時的に表示画像が変化する信号を含む概念である。駆動回路３０は、このコンテンツ画像信号３０Ａを利用して、例えば、図３（Ａ）に示したように、表示画面４０の全体もしくは一部にコンテンツ画像４１を表示するようになっている。一方、機能画像信号３５Ａは、例えば、店頭での商品特徴説明に用いる情報（いわゆるＰＯＰ）または時刻情報を含んだものであり、複数フレーム期間ごとに表示画像の異なる信号や経時的に表示画像の変化しない信号（静止画像信号）などを含む概念である。駆動回路３０は、この機能画像信号３５Ａを利用して、例えば、図３に示したように、表示画面４０の一部（例えば右脇や左脇）に機能画像４２を表示するようになっている。なお、図３（Ａ）中の複数の円は、円が表示画面４０上で経時的に変化している様子を模式的に表したものであり、コンテンツ画像４１が例えば動画によって構成されていることを図案化したものである。また、図３（Ａ）中の「Ｂｒａｎｄ  ｎｅｗ」は、機能画像４２として表示される文字を例示したものである。
【００２３】
画像信号処理回路３１は、コンテンツ画像信号３０Ａと機能画像信号３５Ａとの合成により、例えば、図３に示したように、表示画面４０の全体にコンテンツ画像４１を表示すると共に、表示画面４０の一部に機能画像４２を表示することを可能にしている。この画像信号処理回路３１は、さらに、例えば、図３（Ｂ）に示したように、所定の固定位置４３（図中の黒点）を基準として機能画像４２が経時的に拡大または縮小されるように、コンテンツ画像信号３０Ａと機能画像信号３５Ａとの合成を行っている。このとき、画像信号処理回路３１は、機能画像４２の拡大または縮小に際して、表示画面４０の全体の面積を１としたときに、例えば、機能画像４２の面積が最大時に０．０１以上となり、最小時に０（非表示）となるように、上記の合成処理を行っている。
【００２４】
ところで、画像信号処理回路３１が、固定位置４３を、例えば、図３（Ｂ）に示したように、機能画像４２の重心位置に設定したした上で、機能画像４２が経時的に拡大または縮小されるように、コンテンツ画像信号３０Ａと機能画像信号３５Ａとの合成を行うようにしてもよい。ただし、画像信号処理回路３１が、機能画像４２の拡大または縮小に際して、固定位置４３を、それ以外の位置に設定してもよい。例えば、画像信号処理回路３１は、図４（Ａ）に示したように、固定位置４３を、機能画像４２が表示され得る特定領域４４内に設定してもよいし、図４（Ｂ）に示したように、特定領域４４外に設定してもよい。なお、図４（Ｂ）には、固定位置４３が、機能画像４２が表示され得る特定領域４４の外であって、かつ表示画面４０の外に設定されている場合が例示されている。また、例えば、画像信号処理回路３１は、図５（Ａ）に示したように、固定位置４３を、機能画像４２が現に表示されている表示領域４５内に設定してもよいし、図５（Ｂ）に示したように、表示領域４５外に設定してもよい。
【００２５】
また、画像信号処理回路３１は、例えば、機能画像４２の拡大または縮小に際して、機能画像４２をフェードアウトするようにしてもよい。例えば、図６（Ａ）に示したように、画像信号処理回路３１が、機能画像４２の輝度レベルを、機能画像４２を視認可能な輝度レベルＩ1（≧Ｉ0、Ｉ0は視認可能な輝度レベルの下限）から機能画像４２を視認不可能な輝度レベル（例えばゼロ）に経時的に（連続してまたは断続して）変化させるようにしてもよい。また、画像信号処理回路３１は、例えば、機能画像４２の拡大または縮小に際して、上記とは逆に、機能画像４２をフェードインするようにしてもよい。例えば、図６（Ｂ）に示したように、画像信号処理回路３１が、機能画像４２の輝度レベルを、機能画像４２を視認不可能な輝度レベル（例えばゼロ）から機能画像４２を視認可能な輝度レベルＩ1に経時的に（連続してまたは断続して）変化させるようにしてもよい。また、画像信号処理回路３１は、例えば、機能画像４２の拡大または縮小に際して、機能画像４２のフェードアウトとフェードインを経時的に交互に行うようにしてもよい。例えば、図６（Ｃ）に示したように、画像信号処理回路３１が、機能画像４２の輝度レベルを、機能画像４２を視認可能な輝度レベルＩ1から機能画像４２を視認不可能な輝度レベル（例えばゼロ）への経時的な変化と、機能画像４２を視認不可能な輝度レベル（例えばゼロ）から機能画像４２を視認可能な輝度レベルＩ1への経時的な変化とを交互に繰り返す態様で経時的に変化させるようにしてもよい。また、画像信号処理回路３１は、例えば、機能画像４２の拡大または縮小に際して、機能画像４２を視認可能な輝度レベル（Ｉ1以上）の範囲内で、上下させるようにしてもよい。例えば、図６（Ｄ）に示したように、画像信号処理回路３１が、機能画像４２の輝度レベルを、高輝度レベルＩ2から低輝度レベルＩ3への経時的な変化と、低輝度レベルＩ3から高輝度レベルＩ2への経時的な変化とを交互に繰り返す態様で経時的に変化させるようにしてもよい。
【００２６】
また、画像信号処理回路３１は、コンテンツ画像信号３０Ａと機能画像信号３５Ａとの合成により、例えば、コンテンツ画像４１のうち機能画像４２の背後画像が完全に遮蔽された（視認できない）状態で機能画像４２が表示されるように、コンテンツ画像信号３０Ａと機能画像信号３５Ａとの合成を行うようにしてもよい。また、画像信号処理回路３１は、コンテンツ画像信号３０Ａと機能画像信号３５Ａとの合成により、例えば、コンテンツ画像４１のうち機能画像４２の背後画像の少なくとも一部が透けた状態（いわゆるブレンディングした状態）で機能画像４２が表示されるように、コンテンツ画像信号３０Ａと機能画像信号３５Ａとの合成を行うようにしてもよい。さらに、画像信号処理回路３１は、コンテンツ画像４１のうち機能画像４２の背後画像と機能画像４２とのブレンド割合が経時的に（連続してまたは断続して）変化するように、コンテンツ画像信号３０Ａと機能画像信号３５Ａとの合成を行うようにしてもよい。
【００２７】
タイミング生成回路３２は、信号線駆動回路３３および走査線駆動回路３４が連動して動作するように制御するものである。タイミング生成回路３２は、例えば、外部から入力された同期信号３０Ｂに応じて（同期して）、これらの回路に対して制御信号３２Ａを出力するようになっている。
【００２８】
信号線駆動回路３３は、画像信号処理回路３２から入力されたアナログの画像信号（コンテンツ画像信号３０Ａに対応する信号電位）を、各信号線ＤＴＬに印加して、選択対象のサブピクセル１１に書き込むものである。信号線駆動回路２３は、例えば、コンテンツ画像信号３０Ａに対応する信号電圧Ｖsigを出力することが可能となっている。
【００２９】
走査線駆動回路３４は、制御信号３２Ａの入力に応じて（同期して）、複数の走査線に選択パルスを順次印加して、複数のサブピクセル１１を走査線ＷＳＬ単位で順次選択するものである。走査線駆動回路３４は、例えば、トランジスタ１５をオンさせるときに印加する電圧Ｖonと、トランジスタ１５をオフさせるときに印加する電圧Ｖoffとを出力することが可能となっている。ここで、電圧Ｖonは、トランジスタ１５のオン電圧以上の値（一定値）となっている。電圧Ｖoffは、トランジスタ１５のオン電圧よりも低い値（一定値）となっている。
【００３０】
[効果]
次に、本実施の形態の液晶表示装置１の動作の一例について説明する。本実施の形態では、駆動回路３０によって液晶素子１４を駆動することにより、例えば、図３（Ａ）に示したように、表示画面４０の全体または一部にコンテンツ画像４１が表示されると共に、表示画面４０の一部に機能画像４２が表示される。さらに、コンテンツ画像信号３０Ａと機能画像信号３５Ａとの合成によって、例えば、図３（Ｂ）に示したように、所定の固定位置４３（図中の黒点）を基準として機能画像４２が経時的に拡大または縮小される。これにより、機能画像４２において、同一信号レベルの表示面積が大きい場合であっても、特定の画素１３に同一レベルの画像信号が印加され続けることをなくすることが可能である。その結果、機能画像４２が静止画像である場合に、その静止画像に起因した焼き付きを軽減することが可能である。
【００３１】
特に、表示画面４０の全体の面積を１としたときに、機能画像４２の拡大または縮小に際して、機能画像４２の面積を最大時に０．０１以上にし、最小時に０にした場合には、機能画像４２において、特定の画素１３に同一レベルの画像信号が印加され続けることを確実になくすることができる。その結果、機能画像４２が静止画像である場合に、その静止画像に起因した焼き付きをさらに軽減することが可能である。
【００３２】
さらに、機能画像４２の拡大または縮小に際して、例えば、図６（Ｃ）に示したように経時的にフェードアウトとフェードインとを繰り返している場合には、静止画像に起因した焼き付きを顕著に軽減することが可能である。同様に、機能画像４２の拡大または縮小に際して、例えば、図６（Ａ）または図６（Ｂ）に示したように、機能画像４２が経時的にフェードアウトまたはフェードインを繰り返している場合にも、静止画像に起因した焼き付きをより一層、軽減することが可能である。また、機能画像４２の拡大または縮小に際して、例えば、図６（Ｄ）に示したように、機能画像４２の輝度レベルを、機能画像４２を視認可能な輝度レベル（Ｉ1以上）の範囲内で、上下させた場合にも、静止画像に起因した焼き付きを十分に軽減することが可能である。
【００３３】
また、機能画像４２の拡大または縮小に際して、例えば、コンテンツ画像４１のうち機能画像４２の背後画像の少なくとも一部が透けた状態で機能画像４２を表示されている場合にも、静止画像に起因した焼き付きをより一層、軽減することが可能である。さらに、コンテンツ画像４１のうち機能画像４２の背後画像と機能画像４２とのブレンド割合を経時的に変化させた場合には、静止画像に起因した焼き付きをより効果的に軽減することが可能である。
【符号の説明】
【００３４】
１…液晶表示装置、１０…液晶表示パネル、１１，１１Ｒ，１１Ｇ，１１Ｂ…サブピクセル、１２…画素アレイ部、１３…画素、１４…液晶素子、１５…トランジスタ、２０…バックライト、３０…駆動回路、３０Ａ…コンテンツ画像信号、３０Ｂ…同期信号、３１…画像信号処理回路、３１Ａ…画像信号、３２…タイミング生成回路、３２Ａ…制御信号、３３…信号線駆動回路、３４…走査線駆動回路、３５…内部メモリ、３５Ａ…機能画像信号、４０…表示画面、４１…コンテンツ画像、４２…機能画像、４３…固定位置、４４…特定領域、４５…表示領域、ＣＯＭ…共通接続線、ＤＴＬ…信号線、ＷＳＬ…走査線。
【図１】
2010277058.tif 000003
【図２】
2010277058.tif 000004
【図３】
2010277058.tif 000005
【図４】
2010277058.tif 000006
【図５】
2010277058.tif 000007
【図６】
2010277058.tif 000008